(57)【要約】【課題】多数の温度センサーを設けたりすることなく、液晶表示パネルのオーバードライブ制御を適切に行うことが可能なプロジェクター、及び、プロジェクターの制御方法を提供する。【解決手段】ランプ２１が発した光を液晶表示パネル３１、３２、３３により変調して、変調された画像光を投射するプロジェクター１は、プロジェクター１内における温度を検出する温度センサー１７と、プロジェクター１の駆動状態に応じて、温度センサー１７が検出した温度に基づくオーバードライブ量を求めて液晶表示パネル３１、３２、３３のオーバードライブ制御を行うＣＰＵ１０と、を備える。【選択図】図１
2013134384.tif 000002
【特許請求の範囲】
【請求項１】
光源が発した光を液晶表示パネルにより変調して、変調された画像光を投射するプロジェクターであって、
前記プロジェクター内における温度を検出する温度検出手段と、
前記プロジェクターの駆動状態に応じて、前記温度検出手段が検出した温度に基づくオーバードライブ量を求めて前記液晶表示パネルのオーバードライブ制御を行う制御手段と、
を備えることを特徴とするプロジェクター。
【請求項２】
複数の前記液晶表示パネルを備え、
前記制御手段は、前記液晶表示パネル毎に、前記温度検出手段が検出した温度に基づくオーバードライブ量を求め、前記液晶表示パネルのオーバードライブ制御を行うことを特徴とする請求項１記載のプロジェクター。
【請求項３】
前記制御手段は、前記プロジェクターの駆動状態に応じて、前記温度検出手段が検出した温度から前記液晶表示パネルの温度への換算を行い、換算した前記液晶表示パネルの温度の換算値に基づきオーバードライブ量を求めてオーバードライブ制御を行うことを特徴とする請求項１または２記載のプロジェクター。
【請求項４】
前記制御手段は、複数の補正用データを有し、前記プロジェクターの駆動状態に応じた前記補正用データを用いて、前記温度検出手段が検出した温度に基づくオーバードライブ量を求めることを特徴とする請求項１から３のいずれかに記載のプロジェクター。
【請求項５】
前記光源が発した光の分光特性を変換するフィルターと、前記フィルターの使用状態を使用と非使用とに切り替える切替手段とを備え、
前記制御手段は、複数の補正用データを有し、前記フィルターの使用状態に対応する前記補正用データを用いて、前記温度検出手段が検出した温度に基づくオーバードライブ量を求めることを特徴とする請求項１から３のいずれかに記載のプロジェクター。
【請求項６】
前記光源の輝度を複数段階に変更可能であり、
前記制御手段は、複数の補正用データを有し、前記光源の輝度に対応する前記補正用データを用いて、前記温度検出手段が検出した温度に基づくオーバードライブ量を求めることを特徴とする請求項１から５のいずれかに記載のプロジェクター。
【請求項７】
透過型の前記液晶表示パネルを用いて構成されたことを特徴とする請求項１から６のいずれかに記載のプロジェクター。
【請求項８】
複数の前記液晶表示パネルと、これら複数の前記液晶表示パネルを透過した透過光を合成する合成光学系とを備え、前記液晶表示パネルは前記合成光学系の少なくとも一部に対して金属製の固定枠により固定され、
前記温度検出手段は、前記固定枠に設けられた温度センサーであることを特徴とする請求項７記載のプロジェクター。
【請求項９】
光源が発した光を液晶表示パネルにより変調して、変調された画像光を投射するプロジェクターの制御方法であって、
前記プロジェクターの駆動状態に応じて、前記温度検出手段が検出した温度に基づくオーバードライブ量を求めて前記液晶表示パネルのオーバードライブ制御を行うこと、
を特徴とするプロジェクターの制御方法。
【発明の詳細な説明】
【技術分野】
【０００１】
本発明は、画像を投射するプロジェクター、及び、プロジェクターの制御方法に関する。
【背景技術】
【０００２】
従来、液晶表示パネルの応答性を高めるためのオーバードライブ制御を行う方法として、液晶表示パネルの応答特性が温度により変化することを考慮して、液晶表示パネルの温度を反映させてオーバードライブ制御を行う方法が知られている（例えば、特許文献１、２参照）。特許文献１に記載された方法によれば、ルックアップテーブルに基づいてオーバードライブ量を出力し、このオーバードライブ量を温度に応じた係数により補正して、オーバードライブ制御に用いる。また、特許文献２記載の方法では、表示パネルを複数の領域に分割して領域毎にオーバードライブ量を変化させる。
【先行技術文献】
【特許文献】
【０００３】
【特許文献１】特開２００６−１９５２３１号公報
【特許文献２】特開２００６−１６２９０９号公報
【発明の概要】
【発明が解決しようとする課題】
【０００４】
液晶表示パネルの応答特性に対する温度の影響を適切に反映させるためには、液晶表示パネルの温度を正確に検出することが望ましい。しかしながら、液晶表示パネルの温度を正確に検出することは容易ではなく、例えば特許文献２記載の方法では複数の温度センサーが必要であった。このような従来の構成を、液晶表示パネルを備えたプロジェクターにおいて液晶表示パネルのオーバードライブ制御を行うために適用すると、プロジェクターに複数の温度センサーを設ける場所の確保や、複数の温度センサーを用いることによるプロジェクターの制御の複雑化を招いてしまうという問題があった。
本発明は、上述した事情に鑑みてなされたものであり、多数の温度センサーを設けたりすることなく、液晶表示パネルのオーバードライブ制御を適切に行うことが可能なプロジェクター、及び、プロジェクターの制御方法を提供することを目的とする。
【課題を解決するための手段】
【０００５】
上記課題を解決するため、本発明は、光源が発した光を液晶表示パネルにより変調して、変調された画像光を投射するプロジェクターであって、前記プロジェクター内における温度を検出する温度検出手段と、前記プロジェクターの駆動状態に応じて、前記温度検出手段が検出した温度に基づくオーバードライブ量を求めて前記液晶表示パネルのオーバードライブ制御を行う制御手段と、を備えることを特徴とする。
本発明によれば、プロジェクター内で検出された温度に基づいてオーバードライブ量を求める上、このオーバードライブ量にプロジェクターの駆動状態を反映させることができる。このため、多数の温度センサーを設けたりすることなく、実際の液晶表示パネルの状態に適したオーバードライブ制御を行うことができる。
【０００６】
また、本発明は、上記プロジェクターにおいて、複数の前記液晶表示パネルを備え、前記制御手段は、前記液晶表示パネル毎に、前記温度検出手段が検出した温度に基づくオーバードライブ量を求め、前記液晶表示パネルのオーバードライブ制御を行うことを特徴とする。
本発明によれば、複数の液晶表示パネルの各々について、実際の液晶表示パネルの状態に適したオーバードライブ制御を行うことができる。
【０００７】
また、本発明は、上記プロジェクターにおいて、前記制御手段は、前記プロジェクターの駆動状態に応じて、前記温度検出手段が検出した温度から前記液晶表示パネルの温度への換算を行い、換算した前記液晶表示パネルの温度の換算値に基づきオーバードライブ量を求めてオーバードライブ制御を行うことを特徴とする。
本発明によれば、温度検出手段が検出した温度をプロジェクターの駆動状態に応じて液晶表示パネルの温度に換算してオーバードライブ制御を行うので、実際の液晶表示パネルの状態に適したオーバードライブ制御を行うことができる。ここで、液晶表示パネルの温度への換算は、例えば、プロジェクターの駆動状態に応じた温度検出手段と液晶表示パネルとの温度差を、温度検出手段の検出値に対し加減算することで、行うことができる。
【０００８】
また、本発明は、上記プロジェクターにおいて、前記制御手段は、複数の補正用データを有し、前記プロジェクターの駆動状態に応じた前記補正用データを用いて、前記温度検出手段が検出した温度に基づくオーバードライブ量を求めることを特徴とする。
本発明によれば、実際の液晶表示パネルの状態に適したオーバードライブ量を、比較的負荷の軽い演算処理によって得ることができる。
【０００９】
また、本発明は、上記プロジェクターにおいて、前記光源が発した光の分光特性を変換するフィルターと、前記フィルターの使用状態を使用と非使用とに切り替える切替手段とを備え、前記制御手段は、複数の補正用データを有し、前記フィルターの使用状態に対応する前記補正用データを用いて、前記温度検出手段が検出した温度に基づくオーバードライブ量を求めることを特徴とする。
本発明によれば、液晶表示パネルの温度に影響を与えるフィルターの使用状態を反映させて、より実際の液晶表示パネルの状態に適したオーバードライブ制御を行える。
【００１０】
また、本発明は、上記プロジェクターにおいて、前記光源の輝度を複数段階に変更可能であり、前記制御手段は、複数の補正用データを有し、前記光源の輝度に対応する前記補正用データを用いて、前記温度検出手段が検出した温度に基づくオーバードライブ量を求めることを特徴とする。
本発明によれば、液晶表示パネルの温度に影響を与える光源の輝度を反映させて、より実際の液晶表示パネルの状態に適したオーバードライブ制御を行える。
【００１１】
また、本発明は、上記プロジェクターにおいて、透過型の前記液晶表示パネルを用いて構成されたことを特徴とする。
本発明によれば、液晶表示パネルの表示領域またはそのすぐ近くに温度センサー等を配設することができない透過型の液晶表示パネルの温度について、実際の温度に近い検出値を得ることにより、より実際の液晶表示パネルの状態に適したオーバードライブ制御を行える。
【００１２】
また、本発明は、上記プロジェクターにおいて、複数の前記液晶表示パネルと、これら複数の前記液晶表示パネルを透過した透過光を合成する合成光学系とを備え、前記液晶表示パネルは前記合成光学系の少なくとも一部に対して金属製の固定枠により固定され、前記温度検出手段は、前記固定枠に設けられた温度センサーであることを特徴とする。
本発明によれば、液晶表示パネルに近い温度を示す場所に温度センサーを設け、この温度センサーの検出値を用いて液晶表示パネルに近い温度を検出でき、より実際の液晶表示パネルの状態に適したオーバードライブ制御を行える。
【００１３】
また、上記課題を解決するため、本発明は、光源が発した光を液晶表示パネルにより変調して、変調された画像光を投射するプロジェクターの制御方法であって、前記プロジェクターの駆動状態に応じて、前記温度検出手段が検出した温度に基づくオーバードライブ量を求めて前記液晶表示パネルのオーバードライブ制御を行うこと、を特徴とする。
本発明によれば、プロジェクター内で検出された温度に基づいてオーバードライブ量を求める上、このオーバードライブ量にプロジェクターの駆動状態を反映させることができる。このため、多数の温度センサーを設けたりすることなく、実際の液晶表示パネルの状態に適したオーバードライブ制御を行うことができる。
【発明の効果】
【００１４】
本発明によれば、実際の液晶表示パネルの状態に適したオーバードライブ制御を行うことができる。
【図面の簡単な説明】
【００１５】
【図１】第１の実施形態に係るプロジェクターの構成を示す図である。
【図２】オーバードライブ制御の様子を示す説明図であり、（Ａ）はオーバードライブ制御の実行時におけるデータの変化を示す図表であり、（Ｂ）は液晶パネルの応答特性を示す図表である。
【図３】液晶表示パネル及びダイクロイックプリズムの構成と配置状態を示す要部側面図である。
【図４】評価温度測定の様子を示す説明図である。
【図５】液晶表示パネルの温度に適したＬＵＴを選択するための切替テーブルの例を示す説明図である。
【図６】第２の実施形態に係るプロジェクターの構成を示す図である。
【図７】第２の実施形態に係るプロジェクターの駆動状態と補正データとの対応関係を示す説明図である。
【発明を実施するための形態】
【００１６】
［第１の実施形態］
以下、図面を参照して本発明を適用した実施形態について説明する。
図１は、第１の実施形態に係るプロジェクター１の構成を示す図である。
プロジェクター１は、ＰＣ（Personal Computer）、ＤＶＤプレーヤー、テレビチューナー等の各種の画像供給装置（図示略）に接続され、これらの画像供給装置から入力される画像データに基づいて、スクリーンＳＣに画像を投射する。
プロジェクター１は、大きく分けて光学的な画像の形成を行う光学系と画像信号を電気的に処理する画像処理系とからなる。
光学系は、キセノンランプや超高圧水銀ランプからなる光源としてのランプ２１と、ランプ２１が発した光の分光特性を変換するフィルター２３と、ランプ２１が発した光をＲＧＢの３色の色光に分離するミラー４１〜４５と、ミラー４１〜４５により分離された赤色光Ｒを変調する液晶表示パネル３１、緑色光Ｇを変調する液晶表示パネル３２、及び青色光Ｂを変調する液晶表示パネル３３を備えた変調部３と、液晶表示パネル３１、３２、３３で変調された画像光を合成する合成光学系としてのダイクロイックプリズム４８と、ダイクロイックプリズム４８により合成された画像光をスクリーンＳＣに向けて投射する投射レンズ５０とを備えて構成される。ミラー４１、４３はダイクロイックミラーであり、ミラー４１は青色光Ｂを透過させて他の波長成分を反射し、ミラー４３は緑色光Ｇを反射して赤色光Ｒを透過させる。また、液晶表示パネル３１、３２、３３はいずれも透過型の液晶表示パネルであり、液晶表示パネル３１、３２、３３を駆動する液晶パネル駆動部３５に接続されている。液晶パネル駆動部３５は、後述するＣＰＵ１０の制御に従って、液晶表示パネル３１、３２、３３のそれぞれに画像を描画する。なお、プロジェクター１の光学系は、ランプ２１が発した光を平行に導くレンズ群や、ランプ２１が発した光を遮って光量を調整する遮光板、投射レンズ５０がスクリーンＳＣに投射する画像光を調整してフォーカスを合わせるフォーカス機構等を備えた構成としてもよい。
フィルター２３は、ランプ２１の放射光に含まれる特定の色成分を減衰させる効果を有し、例えば人間の皮膚の色の表現力を高めるために緑色光を減衰させるフィルターが用いられる。フィルター２３を使用する場合には、液晶表示パネル３１、３２、３３に送られる光量は減衰され、結果として、液晶表示パネル３１、３２、３３の発熱が抑えられる傾向にある。
【００１７】
一方、プロジェクター１の制御系は、プロジェクター１の全体を中枢的に制御する制御手段としてのＣＰＵ１０と、外部の画像供給装置に接続されるインターフェイス（Ｉ／Ｆ）１１と、インターフェイス１１を介して入力された画像データを一時的に保持するフレームメモリー１２と、インターフェイス１１を介して入力された画像データ及びフレームメモリー１２が記憶した画像データをもとにオーバードライブ量を出力するルックアップテーブル１３と、ルックアップテーブル１３が有する複数のルックアップテーブル（ＬＵＴ１〜ＬＵＴｎ）のいずれかを選択するセレクター１４と、を備えている。
【００１８】
外部の画像供給装置からインターフェイス１１に画像データが入力されると、この画像データＦ１はフレームメモリー１２とルックアップテーブル１３の各ＬＵＴ１〜ｎに入力される。プロジェクター１には、所定のフレームレートで順次画素データが入力される。現フレームデータＦ１は１フレームの画像を横方向に上から下へ順次走査して、画素毎に、例えばＲＧＢ各８ビットのデータとしたものであり、シリアルデータとして連続的に入力される。フレームメモリー１２は、１フレーム分のフレームデータまたは１フレーム分のフレームデータに相当するデータを格納しておくことのできるメモリーである。フレームメモリー１２に格納された画素データは１フレーム後に読み出されて、前フレームデータＦ２としてルックアップテーブル１３の各ＬＵＴ１〜ｎに入力される。１フレーム分のフレームデータに相当するデータとは、メモリー容量を削減するために例えば１フレーム分のフレームデータを圧縮したデータであってもよい。
このように、ＬＵＴ１〜ｎには、現在のフレームの画像データＦ１と、１フレーム前の画像データＦ２とが同時に入力される。
【００１９】
さらに、図１に示すように、プロジェクター１は、フィルター２３を移動させる切換手段としての切替機構２４を有する。切替機構２４は、ＣＰＵ１０の制御に従ってフィルター２３を動かし、使用時にはフィルター２３を光路に位置させ、フィルター２３を使用しない時（非使用時）には光路から待避させる。また、ランプ２１には、ＣＰＵ１０の制御に従ってランプ２１に電圧を印加して点灯、消灯させるランプ駆動部２２が接続されている。ランプ駆動部２２は、ランプ２１を点灯／消灯させるだけでなく、ランプ２１に印加する電圧を変化させることで、ランプ２１の輝度を複数段階に切り替えることが可能である。
また、プロジェクター１は、ランプ２１や変調部３を冷却する冷却ファン１９を備え、冷却ファン１９の回転／停止、及び回転数をＣＰＵ１０の制御により調整可能である。冷却ファン１９は一台とは限らず、プロジェクター１の各部に電源を供給する電源回路（図示略）等、発熱の大きい部位ごとに複数設置することも可能である。
【００２０】
ルックアップテーブル１３を構成するＬＵＴ１〜ｎは、フレーム中の全ての画素について、各画素の現フレームデータＦ１及び画素データＦ２からオーバードライブ量を求めるデータを格納しているメモリーである。ＬＵＴ１〜ｎは、それぞれ、フレームを構成する各画素について、入力されてくる現フレームデータＦ１の一部を構成する画素データ（階調値）と、１フレーム前の画素データＦ２の当該画素の画素データ（階調値）との２つのパラメーターが入力されると、これら２つのパラメーターに対応して格納されたオーバードライブ量を出力する。
【００２１】
図２は、オーバードライブ制御の様子を示す説明図であり、（Ａ）はオーバードライブ制御の実行時におけるデータの変化を示す図表であり、（Ｂ）は液晶パネルの応答特性を示す図表である。
オーバードライブ制御は、液晶の輝度の応答速度を高めるために液晶パネルの各画素に印加する駆動電圧の変化量を大きくする制御である。液晶パネルの応答特性は温度によって変化するため、液晶の温度に応じてオーバードライブ量を変化させる制御が行われる。
例えば図２（Ａ）には、ある画素の画素データ（階調値）を示す。通常駆動時には、図中破線で示すように実際の階調値を示す画素データが出力され、該当する画素に印加される。現フレームのデータが１フレーム前のデータと異なる場合、オーバードライブ制御を実行し、図中（１）〜（３）で示すように、実際の階調値よりも高い階調値の画素データが出力される。実際の階調値を超える分がオーバードライブ量であり、液晶が低温の場合には（１）のようにオーバードライブ量が大きく設定され、液晶が高温の場合は（３）のようにオーバードライブ量は小さく設定され、その中間程度の温度であれば（２）のようにオーバードライブ量も中間程度に設定される。
図２（Ｂ）中に破線で示すように、通常駆動時の応答特性は、（１）で示すように液晶が低温の場合には応答が遅く、（２）で示すように中程度の温度、及び（３）で示すように高温になると改善する傾向にある。そこで、上記のようにオーバードライブ量を温度ごとに設定することで、図２（Ｂ）に実線で示すように、液晶の応答特性を通常駆動時に比べて改善し、かつ、温度によらずほぼ一定とすることができる。
【００２２】
図１のルックアップテーブル１３が有するＬＵＴ１〜ｎは、それぞれ、異なる温度に対応したオーバードライブ量を出力するためのデータを格納しており、それぞれが異なるオーバードライブ量を出力する。セレクター１４は、ＣＰＵ１０の制御に従って、液晶パネル駆動部３５が駆動する液晶表示パネル３１、３２、３３の現在の状態に適したＬＵＴ１〜ｎを選択する。この選択は、液晶表示パネル３１、３２、３３の各々について個別に行われる。液晶パネル駆動部３５は、ＬＵＴ１〜ｎのうちセレクター１４が選択したＬＵＴが出力した現フレームのデータＦ１にオーバードライブ量を加算したデータに基づいて、液晶表示パネル３１、３２、３３の各画素を駆動し、画像を表示させる。
【００２３】
ＣＰＵ１０は、液晶表示パネル３１、３２、３３の温度に基づいて、液晶表示パネル３１、３２、３３に適したＬＵＴをセレクター１４によって選択する。本実施形態のプロジェクター１は、液晶表示パネル３１、３２、３３の温度を直接測定（検出）せず、液晶表示パネル３１、３２、３３の温度を検出する温度検出手段として、一つの温度センサー１７のみを使用する。プロジェクター１は、温度センサー１７の検出温度を、フィルター２３の使用状態と、ランプ２１の輝度とに基づいて、液晶表示パネル３１、３２、３３の各々の温度に換算する。
【００２４】
図３は、液晶表示パネル３１、３２、３３及びダイクロイックプリズム４８の構成と配置状態を示す要部側面図である。
液晶表示パネル３１、３２、３３は、プロジェクター１の本体底板６０上に固定されたケース６６に配設される。ケース６６は、ダイクロイックプリズム４８（図１）を収容し、固定する断面四角形の容器である。ケース６６の側面のうち３面には、液晶表示パネル３１、３２、３３が配設され、残り１面は開放されて投射レンズ５０（図１）に面している。ケース６６の材料は特に限定されないが、耐熱性、加工性、及び伝熱性に優れていればよく、例えば金属製とされる。ケース６６の３つの側面には、金属製のブラケットが配設され、各ブラケットに液晶表示パネル３１、３２、３３がそれぞれ固定される。図３には、液晶表示パネル３１を固定するブラケット６３、及び、液晶表示パネル３３を固定するブラケット６４を図示する。これらのブラケットも、耐熱性、加工性、及び伝熱性に優れていればよく、例えば金属製とされる。
ケース６６及びブラケット６３、６４は、液晶表示パネル３１、３２、３３及びダイクロイックプリズム４８をプロジェクター１の本体に固定するとともに、液晶表示パネル３１、３２、３３とダイクロイックプリズム４８との相対位置を固定する。
【００２５】
ケース６６の上方には、基板６１が固定される。基板６１には、図１に示した制御系の各機能部が実装されている。液晶表示パネル３１、３２、３３は、基板６１に設けられたコネクター７１、７２、７３に対して、フレキシブルケーブル７４、７５、７６を介してそれぞれ接続されている。コネクター７１、７２、７３には、液晶パネル駆動部３５（図１）が接続されており、これらのコネクター７１、７２、７３及びフレキシブルケーブル７４、７５、７６によって、液晶表示パネル３１、３２、３３に駆動電圧が印加される。
【００２６】
温度センサー１７は、ケース６６の上面に密接して取り付けられる。温度センサー１７は、プロジェクター１の投射の障害にならないように、透過型液晶である液晶表示パネル３１、３２、３３の表示領域と、ダイクロイックプリズム４８の入射光および放射光の光路とを避けた位置に設ける必要がある。また、ＣＰＵ１０が温度センサー１７の温度を液晶表示パネル３１、３２、３３の温度に換算するので、液晶表示パネル３１、３２、３３と温度条件が近い位置に設置することが好ましい。さらに、プロジェクター１の動作状態を変化させる要素として、冷却ファン１９の動作状態（回転／停止、回転数等）の影響を、液晶表示パネル３１、３２、３３とともに受ける位置に設置することが、より好ましい。
【００２７】
図３に示すように、温度センサー１７を、液晶表示パネル３１、３２、３３を固定するケース６６に固定した場合、ケース６６及びブラケット６３、６４が金属製であるため、温度センサー１７の検出温度は液晶表示パネル３１、３２、３３の温度から乖離しないので、好ましい。
ＣＰＵ１０は、予め温度センサー１７の温度と液晶表示パネル３１、３２、３３の温度との対応を評価する評価温度測定を実行して得られた切替テーブルに従って、温度センサー１７の温度を液晶表示パネル３１、３２、３３の温度に換算して、ＬＵＴを選択する。
この評価温度測定の様子を図４に示す。
【００２８】
評価温度測定時には、液晶表示パネル３１の表示面に熱電対８１を接触あるいは密着させ、この熱電対８１に接続された温度測定器１６により液晶表示パネル３１の温度を検出する。同様に、液晶表示パネル３２、３３の表示面には熱電対８２、８３を接触あるいは密着させ、これら熱電対８２、８３に接続された温度測定器１６により液晶表示パネル３２、３３の温度を検出する。
評価温度測定時には、予め用意されたテスト画像を液晶パネル駆動部３５によって液晶表示パネル３１、３２、３３に描画する。テスト画像は、例えば、平均輝度（階調値）が５０％（グレー）となるよう調整された動画像または静止画像である。この評価温度測定により、温度センサー１７の検出温度と、熱電対８１、８２、８３により温度測定器１６が検出した検出温度との差が記録される。
【００２９】
液晶表示パネル３１、３２、３３の温度は、上述したようにプロジェクター１の動作状態（ランプ２１の輝度、フィルター２３の使用／不使用等）により影響を受けるため、評価温度測定は、ランプ２１の輝度と、フィルター２３の使用状態とをそれぞれ変化させて実行される。本実施形態ではランプ２１の輝度を低輝度と高輝度の２段階に切り替え可能であるため、ランプ２１の低輝度と高輝度、及び、フィルター２３の使用と不使用を組み合わせて、４通りの条件で温度が測定される。
【００３０】
そして、評価温度測定の結果に基づき、温度センサー１７の検出温度から、液晶表示パネル３１、３２、３３に適したＬＵＴを選択するための切替テーブルが作成される。
図５は、切替テーブルの例を示す説明図である。
この図５に示す切替テーブルは、温度センサー１７の検出温度に対応づけて、液晶表示パネル３１（Ｒ）に適したＬＵＴ、液晶表示パネル３２（Ｇ）に適したＬＵＴ、及び液晶表示パネル３３（Ｂ）に適したＬＵＴを設定したテーブルである。温度センサー１７の温度は、５度きざみの温度帯に分けられている。また、温度センサー１７の検出温度の各温度帯と液晶表示パネル３１、３２、３３に適したＬＵＴとして、フィルター２３の使用／不使用およびランプ２１が低輝度／高輝度を組み合わせた４通りの動作状態に対応するＬＵＴが設定されている。ＬＵＴは４桁の英数字で表され、「ＲＴ１ａ」は、”Ｒ（液晶表示パネル３１）に使用するＬＵＴが、ナンバー「１ａ」のＬＵＴである”ことを示す。同様に、「ＧＴ２ａ」は、“Ｇ（液晶表示パネル３２）に使用するＬＵＴが、ナンバー「２ａ」のＬＵＴである”ことを示す。従って、この図５の例ではＬＵＴ１ａ〜８ｄの３２個のＬＵＴが使い分けられる。
【００３１】
例えば、温度センサー１７の検出温度が５℃〜１０℃（５℃≦検出温度＜１０℃）の場合、フィルター２３が「使用」、ランプ２１が「低輝度」であれば、「ＲＴ１ａ」、「ＧＴ１ａ」、「ＢＴ１ａ」が、適したＬＵＴとして設定されている。なお、同じ温度センサー１７の検出温度帯およびプロジェクター１の動作状態に対応づけて、液晶表示パネル３１、３２、３３に対して異なるＬＵＴを設定することも勿論可能である。
この切替テーブルは、温度センサー１７の検出温度を、ランプ２１の輝度およびフィルター２３の使用状態を加味して変換し、変換した温度に対応するＬＵＴを指定したデータとみなすことができる。
つまり、評価温度測定によって、ランプ２１の輝度に対応した、温度センサー１７の検出値と実際の液晶表示パネル３１、３２、３３の温度との温度差を求めておく。また、評価温度測定によって、フィルター２３の使用状態に対応した、温度センサー１７の検出値と実際の液晶表示パネル３１、３２、３３の温度との温度差を求めておく。そして、オーバードライブ制御の実行時には、温度センサー１７の検出温度に、ランプ２１の輝度に対応する温度差およびフィルター２３の使用状態に対応する温度差を加減算して、液晶表示パネル３１、３２、３３のそれぞれの温度の換算値を得る。そして、液晶表示パネル３１、３２、３３の各々について、求めた換算値に対応するＬＵＴを、ＬＵＴ１〜ｎの中から選択することで、液晶表示パネル３１、３２、３３の実際の温度に適したオーバードライブ量を決定できる。図５の切替テーブルは、温度センサー１７の検出温度を、プロジェクター１の動作状態に応じた温度差に基づき、液晶表示パネル３１、３２、３３の温度に換算するためのデータと、換算した温度に対応するＬＵＴを選択するためのデータとを合わせたものである。従って、この図５の切替テーブルに基づいてＣＰＵ１０がＬＵＴを選択する制御は、実質的に、温度センサー１７の温度を液晶表示パネル３１、３２、３３の温度に換算する処理と、換算値に対応するＬＵＴを選択する処理とに相当する。図５の切替テーブルは、例えば、ＣＰＵ１０に接続された図示しない不揮発性メモリーに格納される。
【００３２】
ＣＰＵ１０は、インターフェイス１１を介して入力される画像の投射中に、温度センサー１７が検出した温度を取得し、ランプ２１の輝度、及び、フィルター２３の使用状態を取得して、液晶表示パネル３１、３２、３３のそれぞれに適したＬＵＴを決定し、決定したＬＵＴをセレクター１４により選択させ、オーバードライブ制御を実行する。
【００３３】
以上説明したように、本発明を適用した第１の実施形態によれば、ランプ２１が発した光を液晶表示パネル３１、３２、３３により変調して、変調された画像光を投射するプロジェクター１は、プロジェクター１内における温度を検出する温度センサー１７と、プロジェクター１の駆動状態に応じて、温度センサー１７が検出した温度に基づくオーバードライブ量を求めて液晶表示パネル３１、３２、３３のオーバードライブ制御を行うＣＰＵ１０とを備え、プロジェクター１内で検出された温度に基づいてオーバードライブ量を求める上、このオーバードライブ量にプロジェクター１の駆動状態を反映させることができる。このため、多数の温度センサーを設けたりすることなく、実際の液晶表示パネル３１、３２、３３の状態に適したオーバードライブ制御を行うことができる。
【００３４】
また、ＣＰＵ１０は、液晶表示パネル３１、３２、３３毎に、温度センサー１７が検出した温度に基づくオーバードライブ量を求め、液晶表示パネル３１、３２、３３のオーバードライブ制御を行うので、複数の液晶表示パネル３１、３２、３３の各々について、実際の液晶表示パネル３１、３２、３３の状態に適したオーバードライブ制御を行うことができる。
さらに、ＣＰＵ１０は、複数のＬＵＴ１〜ｎを有し、プロジェクター１の駆動状態に応じたＬＵＴ１〜ｎを用いて、温度センサー１７が検出した温度に基づくオーバードライブ量を求めるので、実際の液晶表示パネル３１、３２、３３の状態に適したオーバードライブ量を、比較的負荷の軽い演算処理によって得ることができる。
【００３５】
また、ＣＰＵ１０は、プロジェクター１の駆動状態に応じて、温度センサー１７が検出した温度から液晶表示パネル３１、３２、３３の温度への換算を行い、液晶表示パネル３１、３２、３３の温度の換算値に基づきオーバードライブ量を求めてオーバードライブ制御を行うので、実際の液晶表示パネル３１、３２、３３の状態に適したオーバードライブ制御を行うことができる。
【００３６】
また、プロジェクター１は、ランプ２１が発した光の分光特性を変換するフィルター２３と、フィルター２３の使用状態を使用と非使用とに切り替える切替機構２４とを備え、ＣＰＵ１０は、複数のＬＵＴ１〜ｎを有し、フィルター２３の使用状態に対応するＬＵＴ１〜ｎを用いて、温度センサー１７が検出した温度に基づくオーバードライブ量を求めるので、液晶表示パネル３１、３２、３３の温度に影響を与えるフィルター２３の使用状態を反映させて、より実際の液晶表示パネル３１、３２、３３の状態に適したオーバードライブ制御を行える。
【００３７】
また、プロジェクター１はランプ２１の輝度を複数段階に変更可能であり、ＣＰＵ１０は、複数のＬＵＴ１〜ｎを有し、ランプ２１の輝度に対応するＬＵＴ１〜ｎを用いて、温度センサー１７が検出した温度に基づくオーバードライブ量を求めるので、液晶表示パネル３１、３２、３３の温度に影響を与えるランプ２１の輝度を反映させて、より実際の液晶表示パネル３１、３２、３３の状態に適したオーバードライブ制御を行える。
【００３８】
さらに、プロジェクター１は透過型の液晶表示パネル３１、３２、３３を用いて構成されており、液晶表示パネル３１、３２、３３の表示領域またはそのすぐ近くに温度センサー等を配設することができない透過型の液晶表示パネル３１、３２、３３の温度について、実際の温度に近い検出値を得ることにより、より実際の液晶表示パネル３１、３２、３３の状態に適したオーバードライブ制御を行える。
【００３９】
また、プロジェクター１は、複数の液晶表示パネル３１、３２、３３を透過した透過光を合成するダイクロイックプリズム４８とを備え、液晶表示パネル３１、３２、３３はダイクロイックプリズム４８の少なくとも一部に対して金属製のケース６６及びブラケットにより固定され、温度センサー１７は、フレームに設けられた温度センサーであるから、温度センサー１７の検出値を用いて液晶表示パネル３１、３２、３３に近い温度を検出でき、より実際の液晶表示パネル３１、３２、３３の状態に適したオーバードライブ制御を行える。
【００４０】
上記第１の実施形態では、ＣＰＵ１０が、切替テーブルを用いて温度センサー１７の温度に対応するＬＵＴを決定し、選択することにより、実質的に温度センサー１７の検出温度を換算するものとして説明した。
本発明はこれに限定されず、例えば、温度センサー１７の検出温度からオーバードライブ量を求める構成とし、求めたオーバードライブ量を補正する補正量を記憶しておき、この補正量に基づく演算を行って液晶表示パネル３１、３２、３３に適したオーバードライブ量を求めることも可能である。この場合について第２の実施形態として説明する。
【００４１】
［第２の実施形態］
図６は、第２の実施形態に係るプロジェクター１Ａの構成を示す図である。本第２の実施形態において、上記第１の実施形態と同様に構成される各部については同符号を付して説明を省略する。
プロジェクター１Ａは、外部の画像供給装置から入力された現フレームの画像データＦ１と、１フレーム前の画像データＦ２とに基づいて、オーバードライブ量を出力するルックアップテーブル１３Ａと、ルックアップテーブル１３Ａが出力したオーバードライブ量を補正する演算を行う演算回路１５とを備えている。液晶パネル駆動部３５は、演算回路１５が出力した補正後のオーバードライブ量に基づいて、液晶表示パネル３１、３２、３３を駆動する。
【００４２】
ルックアップテーブル１３Ａは、固定的に設けられたルックアップテーブルを有し、温度センサー１７の検出温度ごとに設けられた複数のルックアップテーブルを記憶していても、全温度帯に共通の一つのルックアップテーブルを記憶していてもよい。
ＣＰＵ１０は、温度センサー１７の検出温度とプロジェクター１Ａの駆動状態とに基づき、補正量を決定し、決定した補正量に従って演算回路１５に演算を実行させる。
【００４３】
図７は、プロジェクター１Ａの駆動状態と補正データとの対応関係を示す説明図である。
この図７には、温度センサー１７の検出温度と補正量との相関を示すデータが含まれている。図中（１）〜（４）に示すように、補正データはプロジェクター１Ａの駆動状態に合わせて４通り用意され、（１）はフィルター２３が不使用、ランプ２１が低輝度の場合のデータであり、（２）はフィルター２３を使用し、ランプ２１が低輝度の場合のデータであり、（３）はフィルター２３が不使用、ランプ２１が高輝度の場合のデータであり、（４）はフィルター２３使用、ランプ２１が高輝度の場合のデータである。これらのデータは、例えば、プロジェクター１に接続された不揮発性メモリー（図示略）に記憶されている。これらの補正量のデータは、図５に示した評価温度測定の測定結果から求めることができる。
【００４４】
ＣＰＵ１０は、インターフェイス１１を介して入力される画像の投射中に、温度センサー１７が検出した温度を取得し、プロジェクター１Ａの駆動状態（ランプ２１の輝度、及び、フィルター２３の使用状態）を検出して、対応する補正データに基づいて、演算回路１５によって液晶表示パネル３１、３２、３３のそれぞれのオーバードライブ量を補正する演算を実行させ、オーバードライブ制御を実行する。これにより、温度センサー１７の検出温度の全てに対応したデータを予め記憶していなくても、適切なオーバードライブ制御を行えるので、ＬＵＴの数、及び、データを記憶するメモリー領域が少なくて済むとい利点がある。
【００４５】
なお、上記各実施形態は本発明を適用した具体的態様の例に過ぎず、本発明を限定するものではなく、上記各実施形態とは異なる態様として本発明を適用することも可能である。例えば、上記各実施形態では、ＣＰＵ１０は、液晶表示パネル３１、３２、３３の温度と、フィルター２３の使用状態と、ランプ２１の輝度とに基づいて、液晶表示パネル３１、３２、３３に適したＬＵＴをセレクター１４によって選択する構成として説明したが、本発明はこれに限定されるものではなく、ＣＰＵ１０が、上記の各種駆動状態に加えて、冷却ファン１９の駆動状態にも基づいて、ＬＵＴを選択してもよい。また、プロジェクター１の駆動状態として、液晶表示パネル３１、３２、３３の温度に影響を与える可能性がある要素があれば、ＣＰＵ１０がＬＵＴを選択する際の指標に加えても良い。さらに、上記実施形態において、ＣＰＵ１０が、温度センサー１７の検出温度を、予め設定された補正量に基づいて直接的に液晶表示パネル３１、３２、３３の温度に換算する構成とすることも可能であり、この場合、ランプ２１の輝度、及び、フィルター２３の使用状態に対応して、補正量を記憶しておけばよい。
【００４６】
また、上記各実施形態の構成において、プロジェクター１が、内蔵する記憶装置に格納した画像を投射するものとしてもよいし、変調部３が備える液晶表示パネル３１、３２、３３は、透過型の液晶表示パネルに限定されず、反射型の液晶表示パネルとしてもよいし、１枚の液晶表示パネルとカラーホイールを組み合わせた方式としてもよい。ここで、１枚のみの液晶表示パネを用いる場合には、ダイクロイックプリズム４８等の合成光学系に相当する部材は不要である。
また、図１に示したプロジェクター１の各機能部は、ハードウェアとソフトウェアとの協働により実現される機能的構成を示すものであって、具体的な実装形態は特に制限されない。その他、プロジェクター１、１Ａの他の各部の具体的な細部構成についても、本発明の趣旨を逸脱しない範囲で任意に変更可能である。
【符号の説明】
【００４７】
１、１Ａ…プロジェクター、３…変調部、１０…ＣＰＵ（制御手段）、１２…フレームメモリー、１３、１３Ａ…ルックアップテーブル、１４…セレクター、１５…演算回路、１６…温度測定器、１７…温度センサー（温度検出手段）、１９…冷却ファン、２１…ランプ（光源）、２２…ランプ駆動部、２３…フィルター、２４…切替機構（切替手段）、３１、３２、３３…液晶表示パネル、３５…液晶パネル駆動部、４８…ダイクロイックプリズム（合成光学系）、５０…投射レンズ、６３、６４…ブラケット（固定枠）、６６…ケース（固定枠）、８１、８２、８３…熱電対、ＳＣ…スクリーン
【図１】
2013134384.tif 000003
【図２】
2013134384.tif 000004
【図３】
2013134384.tif 000005
【図４】
2013134384.tif 000006
【図５】
2013134384.tif 000007
【図６】
2013134384.tif 000008
【図７】
2013134384.tif 000009